(57)【特許請求の範囲】
【請求項１】
基端側から人間が寝そべることができるようにした基台と、該基台の先端から出没自在に設けられた枕部材と、該基台と引き出された該枕部材との間に肘置き部が形成されるようにした枕装置であり、前記基台と、該基台の後背部から下部中央付近に亘り開穿されたＴ字ロッド入庫室と、該Ｔ字ロッド入庫室に入庫された出没自在なＴ字ロッドと、該基台に開穿された少なくとも１以上の連結パイプ入庫室と、該連結パイプ入庫室に入庫された少なくとも１本以上の連結パイプと、該基台に設けられた枕部材を出し入れ自在に収納する枕部材入庫室と、該枕部材入庫室に収納された枕部材と、該枕部材入庫室の上部開口部を開閉自在に閉塞する当て蓋盤と、からなり、使用時には、該Ｔ字ロッド入庫室から該Ｔ字ロッドを引き出し、該連結パイプ入庫室から該連結パイプを取り出して該引き出されたＴ字ロッドに立設し、該当て蓋盤を開いて前記開口部を開口し、該枕部材入庫室から該枕部材を取り出して該連結パイプに係止し、該当て蓋盤を閉めて該上部開口部を閉塞することによって人間が寝そべることができるようにし、収納時には、該Ｔ字ロッド、該連結パイプ及び該枕部材をそれぞれ該基台に収納することができるようにした枕装置。
【請求項２】
前記基台が基端方向下方に傾斜するテーパ面を有する側面略不等辺四辺形の箱様体であることを特徴とする請求項１記載の枕装置。
【発明の詳細な説明】
【０００１】
【発明の属する技術分野】
本発明は、畳や床等に配置して使用する組立及び収容が自在な枕装置に関するものである。
【０００２】
【関連技術】
畳や床の上で寝そべって昼寝をしたり、テレビを見ることがある。このような場合、畳や床は硬いため直接頭部を置くと痛く、また頭部を若干体よりも高く上げた姿勢の方が快適と感じることが多い。
【０００３】
そこで、人によっては枕やクッションを敷いて頭部を支えたり、肘枕をして頭部を支えたりする。
【０００４】
しかしながら、寝そべりながらの肘枕は、それが短時間ならば快適であるが、長時間ともなると肘枕をしている腕が頭部の重みと硬い畳や床等に圧迫されて痛みやしびれを覚える。
【０００５】
【発明が解決しようとする課題】
本発明は、上記した問題点を解決するためになされたもので、寝そべりながら肘枕をする際に、快適に頭部を支えることができ、かつ組立及び収容が自在で簡便な枕装置を提供することを目的とする。
【０００６】
【発明が解決しようとする手段】
上記課題を解決するために、本発明の枕装置は、基端側から人間が寝そべることができるようにした基台と、該基台の先端から出没自在に設けられた枕部材と、該基台と引き出された該枕部材との間に肘置き部が形成されるようにした枕装置であり、前記基台と、該基台の後背部から下部中央付近に亘り開穿されたＴ字ロッド入庫室と、該Ｔ字ロッド入庫室に入庫された出没自在なＴ字ロッドと、該基台に開穿された少なくとも１以上の連結パイプ入庫室と、該連結パイプ入庫室に入庫された少なくとも１本以上の連結パイプと、該基台に設けられた枕部材を出し入れ自在に収納する枕部材入庫室と、該枕部材入庫室に収納された枕部材と、該枕部材入庫室の上部開口部を開閉自在に閉塞する当て蓋盤と、からなり、使用時には、該Ｔ字ロッド入庫室から該Ｔ字ロッドを引き出し、該連結パイプ入庫室から該連結パイプを取り出して該引き出されたＴ字ロッドに立設し、該当て蓋盤を開いて前記開口部を開口し、該枕部材入庫室から該枕部材を取り出して該連結パイプに係止し、該当て蓋盤を閉めて該上部開口部を閉塞することによって人間が寝そべることができるようにし、収納時には、該Ｔ字ロッド、該連結パイプ及び該枕部材をそれぞれ該基台に収納することができるようにしたことを特徴とする。
【０００７】
さらに、該基台が基端方向下方に傾斜するテーパ面を有する側面略不等辺四辺形の箱様体であるのが好ましい。
【０００８】
前記基台と、該基台の後背部から下部中央付近に亘り開穿されたＴ字ロッド入庫室と、該Ｔ字ロッド入庫室に入庫された出没自在なＴ字ロッドと、該基台に開穿された少なくとも１以上の連結パイプ入庫室と、該連結パイプ入庫室に入庫された少なくとも１本以上の連結パイプと、該基台に設けられた枕部材を出し入れ自在に収納する枕部材入庫室と、該枕部材入庫室に収納された枕部材と、該枕部材入庫室の上部開口部を開閉自在に閉塞する当て蓋盤と、からなり、使用時には、該Ｔ字ロッド入庫室から該Ｔ字ロッドを引き出し、該連結パイプ入庫室から該連結パイプを取り出して該引き出されたＴ字ロッドに立設し、該当て蓋盤を開いて前記開口部を開口し、該枕部材入庫室から該枕部材を取り出して該連結パイプに係止し、該当て蓋盤を閉めて該上部開口部を閉塞することによって人間が寝そべることができるようにし、収納時には、該Ｔ字ロッド、該連結パイプ及び該枕部材をそれぞれ該基台に収納することができるようにすれば好適である。
【０００９】
【発明の実施の形態】
以下に、本発明の実施の形態を添付図面に基づいて説明するが、図示例はあくまでも例示的なものであり、本発明の技術思想から逸脱しない限り図示例以外にも種々の変形が可能なことはいうまでもない。
【００１０】
図１は収納時の本発明の枕装置の一つの実施の形態を示す斜視的概略説明図、図２は収納時の本発明の枕装置の一つの実施の形態を示す平面図であって、（ａ）は図１の平面図、（ｂ）は受台部材の機構を示す部分平面説明図である。図３は使用時の本発明の枕装置の１つの実施の形態を示す側断面図、図４は使用時の本発明の枕装置の１つの実施の形態を示す斜視的概略説明図、図５は収納時の本発明の枕装置の１つの実施の形態を示す側断面図であって、（ａ）は基台の側断面図、（ｂ）はＴ字ロッドの部分平面概略図、（ｃ）はＴ字ロッドの溶接箇所を示した部分側面図である。図６は本発明の枕装置の１つの実施の形態を示す側断面図であって、（ａ）は本発明の枕部材の受台部材に好適に用いられるピンの動作を示す摘示説明図で、（ｂ）は該受台部材の動作を示す摘示説明図である。図７は本発明の枕装置の一つの実施の形態を示す垂直断面図、図８は本発明の枕装置に好適に用いられる当て蓋盤の１つの実施の形態を示す図であって、（ａ）は平面図、（ｂ）は側断面図である。図９は本発明の枕装置に好適に用いられる連結パイプと枕部材をピンにより固定する場合を示す摘示説明図であって、（ａ）は側断面図、（ｂ）は枕部材と連結パイプの係止状態をしめす摘示部分断面図、（ｃ）は連結パイプの連結に使われるピンの結合動作を示す説明図である。図１０は本発明に係る枕装置の一つの実施例をしめす概略説明図である。
【００１１】
図１において、Ｍは本発明に係る枕装置で、側面略不等辺四辺形の箱様体である基台Ａと、該基台Ａの後背部から下部中央付近に亘り開穿されたＴ字ロッド入庫室１４と、該Ｔ字ロッド入庫室１４に入庫された出没自在なＴ字ロッド８と、該基台Ａに開穿された連結パイプ入庫室１６ａ，１６ｂと、該連結パイプ入庫室１６ａ，１６ｂに入庫された連結パイプ１０ａ，１０ｂと、該基台Ａに設けられた枕部材４を出し入れ自在に収納する枕部材入庫室２０と、該枕部材入庫室２０に収納された枕部材４と、該枕部材入庫室の上部開口部を開閉自在に閉塞する当て蓋盤２から構成されている。図示の例では、連結パイプを２本設けた例を示したが、少なくとも１本以上の連結パイプを設ければよく特別の限定はない。
【００１２】
また図１において、前記Ｔ字ロッドの短尺部の両端には、該基台Ａと引き出された該Ｔ字ロッドとが畳や床等に衡平に跨設されるように、受台部材２４ａ，２４ｂが回動自在に挿着され、ピン６ｆ，６ｇにより固定されている。
【００１３】
該受台部材には、図２（ａ）（ｂ）に示される如く、複数のピン孔２８が開穿されている。これにより、受台部材２４ａ，２４ｂはピン６ｆ，６ｇにより伸縮自在に適宜位置で係止固定され、適宜位置にて該Ｔ字ロッド８を支持することが可能となる。
【００１４】
図３に示されるごとく、該Ｔ字ロッド８の先端部には、該Ｔ字ロッドが基台Ａから抜け落ちるのを防止するため、図示のように該先端部を若干太くしておくか或いはフック状のもの等を取付けておくことがより好ましい。図示の例では、該先端部を若干太くした例を示した。また、該Ｔ字ロッド８の長尺部には複数のピン孔３０が開穿されており、これにより、該Ｔ字ロッド８はピン６ａにより伸縮自在に係止され固定せしめられる。該基台Ａから該Ｔ字ロッド８を引き出すことにより、該基台Ａと該枕部材４との間に肘置き部２２が形成される。
【００１５】
図４において、該連結パイプ１０ｂは該Ｔ字ロッド８に立設されてピン等で係止され、該連結パイプ１０ａは該連結パイプ１０ｂに伸縮自在に連結される。該連結パイプ１０ａの先端部には該枕部材４が着脱自在に挿着されピン等で係止固定されている。
【００１６】
図５では、Ｔ字ロッド８及び枕部材４はピン６ａ，６ｂによってそれぞれ固定されている。なお、図示されてはいないが、当て蓋盤２はピン又はビス等により固定しておくのが好ましい。
【００１７】
図６（ａ），６（ｂ）によく示される如く、前記Ｔ字ロッドの短尺部の両端には、該基台Ａと引き出された該Ｔ字ロッドとが畳や床等に衡平に跨設されるように、受台部材２４が回動自在に挿着されている。図６（ａ）において、該Ｔ字ロッドの短尺部後端に差し込まれたピン６を引き抜き、図６（ｂ）に示したように９０°回動せしめた受台部材２４の後端部に該ピン６を差し込む。
【００１８】
図７において、６ｄ，６ｅは当て蓋盤２を固定するためのピンである。図示例のように、適宜位置にて当て蓋盤２を固定するのが好適である。
【００１９】
なお、本発明の枕装置に用いられる当て蓋盤としては、該枕装置を用いて寝そべった使用者がより快適に過ごせるように、図８（ｂ）によく示した如く、当て蓋盤を裏返して使用すれば使用者が寝そべった際に触れる面が滑らかに感じるように裏面を弧状に形成するのがより好適である。
【００２０】
図９（ａ）において、本発明の枕装置に好適に用いられる連結パイプの連結状態を示す図示例として連結パイプ１０ｂにはクランク状の切り込みが入れられている。これにより、連結パイプ１０ａ，１０ｂは伸縮自在に適宜位置に調整して固定せしめられる。また、図９（ａ），（ｂ），（ｃ）によく示される如く、前記枕部材はピン等で固定することが好ましい。
【００２１】
以上述べた構成により、本発明の一つの実施の形態の使用手順例を説明する。まず、基台Ａに設けられた当て蓋盤２を開けて枕部材入庫室の上部を開口し、枕部材４を取り出す。
【００２２】
次に、Ｔ字ロッド入庫室１４からＴ字ロッド８を適宜位置まで引き出し、ピン６ａをピン孔３０のいずれかに挿入し、該Ｔ字ロッド８を適宜位置で係止固定することにより肘置き部２２を形成する。該Ｔ字ロッドの短尺部の両端に設けられた受台部材２４ａ，２４ｂは回動せしめ、該引き出されたＴ字ロッドと該基台Ａとが畳や床等に衡平に跨設されるように適宜位置にてピン６ｆ，６ｇで係止固定する。
【００２３】
該取り出された当て蓋盤２は裏返しにして、弧状に形成された裏面が上面にくるようにして該開口された枕部材入庫室の開口部を閉塞し、ピン６ｄによりピン止めする。
【００２４】
さらに、連結パイプ入庫室１６ａ，１６ｂから２本の連結パイプ１０ａ，１０ｂを取り出す。該取り出された連結パイプ１０ｂの基端部を該Ｔ字ロッド８にピン止めして立設し、該連結パイプｂの先端部には該連結パイプ１０ａの基端部がクランク止めにて適宜位置に係止固定される。
【００２５】
該連結パイプ１０ａの先端部には、枕部材４をピン６ｂで係止固定することにより、本発明の枕装置の使用状態となる。なお、該Ｔ字ロッド８の引き出し位置及び該連結パイプ１０ａ，１０ｂのクランク止め位置は、使用者の肘の高さ及び肘を曲げて該肘置き部２２に置いた際に快適となる位置であればよく、特別の限定はない。
【００２６】
上記のようにして組み立てた状態の本発明の枕装置を使用して使用者が寝そべった状態の一例を図１０に示す。図示例から明らかな如く、本発明の枕装置を用いて寝そべった使用者は、該基台Ａと該Ｔ字ロッド８との間に形成された肘置き部２２に肘を曲げた状態で置くことができる。なお、使用者の好みにより、肘を曲げた状態とせずに腕を前に投げ出した姿勢をとる等の種々の姿勢の変形が可能なことは勿論である。
【００２７】
なお、本発明の枕装置は図１に示したような収納状態のままでも、通常の枕として使用することが可能である。
【００２８】
【発明の効果】
以上述べたように、本発明の枕装置によれば、寝そべりながら肘枕をする際に、快適に頭部を支えることができ、かつ組立及び収容が自在で簡便であるという著大な効果が達成される。
【図面の簡単な説明】
【図１】  収納時の本発明の枕装置の一つの実施の形態を示す斜視的概略説明図である。
【図２】  収納時の本発明の枕装置の一つの実施の形態を示す平面図であって、（ａ）は図１の平面図、（ｂ）は受台部材の機構を示す部分平面説明図である。
【図３】  使用時の本発明の枕装置の１つの実施の形態を示す側断面図である。
【図４】  使用時の本発明の枕装置の１つの実施の形態を示す斜視的概略説明図である。
【図５】  収納時の本発明の枕装置の１つの実施の形態を示す側断面図であって、（ａ）は基台の側断面図、（ｂ）はＴ字ロッドの部分平面概略図、（ｃ）はＴ字ロッドの溶接箇所を示した部分側面図である。
【図６】  本発明の枕装置の１つの実施の形態を示す側断面図であって、（ａ）は本発明の枕部材の受台部材に好適に用いられるピンの動作を示す摘示説明図で、（ｂ）は該受台部材の動作を示す摘示説明図である。
【図７】  本発明の枕装置の一つの実施の形態を示す垂直断面図である。
【図８】  本発明の枕装置に好適に用いられる当て蓋盤の１つの実施の形態を示す図であって、（ａ）は平面図、（ｂ）は側断面図である。
【図９】  本発明の枕装置に好適に用いられる連結パイプと枕部材をピンにより固定する場合を示す摘示説明図であって、（ａ）は側断面図、（ｂ）は枕部材と連結パイプの係止状態をしめす摘示部分断面図、（ｃ）は連結パイプの連結に使われるピンの結合動作を示す説明図である。
【図１０】  本発明に係る枕装置の一つの実施例をしめす概略説明図である。
【符号の説明】
２：当て蓋盤、４：枕部材、６，６ａ，６ｂ，６ｃ，６ｄ，６ｅ，６ｆ，６ｇ：ピン、８：Ｔ字ロッド、１０，１０ａ，１０ｂ：連結パイプ、１２：テーパ面、１４：Ｔ字ロッド入庫室、１６ａ，１６ｂ：連結パイプ入庫室、１８：当て蓋盤入庫室、２０：枕部材収容室、２２：肘置き部、２４，２４ａ，２４ｂ：受台部材、２６：溶接部、２８，３０：ピン孔、Ａ：基台、Ｆ：畳又は床、Ｈ：使用者、Ｍ：枕装置。
【図１】
0004776100.tif 000002
【図２】
0004776100.tif 000003
【図３】
0004776100.tif 000004
【図４】
0004776100.tif 000005
【図５】
0004776100.tif 000006
【図６】
0004776100.tif 000007
【図７】
0004776100.tif 000008
【図８】
0004776100.tif 000009
【図９】
0004776100.tif 000010
【図１０】
0004776100.tif 000011